(57)【要約】【課題】電子書籍の内容を閲覧しながら、その電子書籍に関するコメントを投稿し、読書会の参加者全員に提示することが可能な読書情報提示サーバ等を提供する。【解決手段】購入済書籍配信部２２は、情報端末で購入済み電子書籍の提示が指示された場合、指示された購入済み電子書籍の本文を書籍情報記憶部２８から読み出し、ネットワークを介して、指示された情報端末に配信する。対象書籍配信部２３は、情報端末で電子書籍の提示が指示された場合、提示された電子書籍の一文を書籍情報記憶部２８から読み出し、ネットワークを介して、読書会に参加している他のユーザの情報端末に配信する。コメント配信部２４は、情報端末で投稿されたコメントを、ネットワークを介して、読書会に参加している他の情報端末に配信する。【選択図】図３
2014197286.tif 000002
【特許請求の範囲】
【請求項１】
第１の情報端末および第２の情報端末と、ネットワークを介して接続される読書情報提示サーバであって、
電子書籍に関する情報および読書会に関する情報を取得する取得手段と、
前記第１の情報端末からの前記電子書籍の送信要求に基づいて、前記取得手段で取得された前記電子書籍に関する情報を、前記第１の情報端末に送信する第１の送信手段と、
前記取得手段で取得された前記読書会に関する情報に基づいて、前記第２の情報端末に、前記取得手段で取得された前記電子書籍に関する情報の一部を送信する第２の送信手段と、
前記第１の情報端末から前記電子書籍に関する投稿情報を受信した場合、前記第２の情報端末に、前記投稿情報を送信する第３の送信手段と、
を備えることを特徴とする読書情報提示サーバ。
【請求項２】
前記投稿情報を記憶する記憶手段と、
前記記憶手段に記憶された前記投稿情報に基づいて、プレイバック用の画像を作成する画像作成手段と、
前記画像作成手段により作成されたプレイバック用の前記画像を配信する画像配信手段と、
をさらに備えることを特徴とする請求項１に記載の読書情報提示サーバ。
【請求項３】
前記読書会に関する情報は、少なくとも、読書会参加者情報、開催日時、終了日時、前記画像作成手段により作成された前記画像のうちのいずれか１つを含む
ことを特徴とする請求項２に記載の読書情報提示サーバ。
【請求項４】
前記電子書籍に関する情報は、少なくとも、前記電子書籍の本文および前記電子書籍の表紙画像を含む
ことを特徴とする請求項１乃至請求項３のいずれかに記載の読書情報提示サーバ。
【請求項５】
第１の情報端末および第２の情報端末とネットワークを介して接続されるコンピュータにより行われる読書情報提示方法であって、
電子書籍に関する情報および読書会に関する情報を取得する取得ステップと、
前記第１の情報端末からの前記電子書籍の送信要求に基づいて、前記取得ステップで取得された前記電子書籍に関する情報を、前記第１の情報端末に送信する第１の送信ステップと、
前記取得ステップで取得された前記読書会に関する情報に基づいて、前記第２の情報端末に、前記取得ステップで取得された前記電子書籍に関する情報の一部を送信する第２の送信ステップと、
前記第１の情報端末から前記電子書籍に関する投稿情報を受信した場合、前記第２の情報端末に、前記投稿情報を送信する第３の送信ステップと、
を含むことを特徴とする読書情報提示方法。
【請求項６】
第１の情報端末および第２の情報端末とネットワークを介して接続されるコンピュータを、
電子書籍に関する情報および読書会に関する情報を取得する取得手段、
前記第１の情報端末からの前記電子書籍の送信要求に基づいて、前記取得手段で取得された前記電子書籍に関する情報を、前記第１の情報端末に送信する第１の送信手段、
前記取得手段で取得された前記読書会に関する情報に基づいて、前記第２の情報端末に、前記取得手段で取得された前記電子書籍に関する情報の一部を送信する第２の送信手段、
前記第１の情報端末から前記電子書籍に関する投稿情報を受信した場合、前記第２の情報端末に、前記投稿情報を送信する第３の送信手段、
として機能させるためのプログラム。
【請求項７】
サーバと第１の情報端末と第２の情報端末とがネットワークを介して接続される読書情報提示システムであって、
前記サーバは、
電子書籍に関する情報および読書会に関する情報を取得する取得手段と、
前記第１の情報端末からの前記電子書籍の送信要求に基づいて、前記取得手段で取得された前記電子書籍に関する情報を、前記第１の情報端末に送信する第１の送信手段と、
前記取得手段で取得された前記読書会に関する情報に基づいて、前記第２の情報端末に、前記取得手段で取得された前記電子書籍に関する情報の一部を送信する第２の送信手段と、
前記第１の情報端末から前記電子書籍に関する投稿情報を受信した場合、前記第２の情報端末に、前記投稿情報を送信する第３の送信手段と、
を備え、
前記第１の情報端末は、
前記電子書籍の送信を前記サーバに要求し、その要求に基づいて送信されてくる前記電子書籍に関する情報を受信し、表示する第１の表示制御手段と、
前記電子書籍に関する投稿情報が入力された場合、前記投稿情報を表示する第２の表示制御手段と、
前記投稿情報を前記サーバに送信する第４の送信手段と、
を備え、
前記第２の情報端末は、
前記サーバから送信されてくる前記電子書籍に関する情報の一部、および前記投稿情報の表示を制御する第３の表示制御手段と、
を備えることを特徴とする読書情報提示システム。
【発明の詳細な説明】
【技術分野】
【０００１】
本発明は、本のコメントを提示する読書情報提示技術に関するものである。
【背景技術】
【０００２】
従来、共通の本を読み、感想や意見を述べて勉強したり、あるいは、各自が好きな本やお薦めの本を持ち寄り紹介したりする読書会が各地で行われている。また、近年、インターネットの普及にともなって、BBS（Bulletin Board System）やSNS（Social Networking Service）、チャット、ＩＰ（Internet Protocol）網等を利用して読書会が催されている。
【０００３】
例えば、特許文献１には、読書会への招待、および、読書会に参加することができる読書会サークルポータルシステムが提案されている。また例えば、特許文献２には、同一グループに属するユーザ間のチャットを可能にしたシステムが提案されている。
【先行技術文献】
【特許文献】
【０００４】
【特許文献１】特開２０１１−２１５９７６号公報
【特許文献２】特開平１０−３３４０５１号公報
【発明の概要】
【発明が解決しようとする課題】
【０００５】
特許文献１や特許文献２の技術では、本の内容を閲覧しながら議論することができないだけでなく、複数の本を読書会で扱うことができない課題があった。
【０００６】
また、具体的な文章が提示されないことによって、イメージが想起されず、購買にまで辿り着かない課題があった。
【０００７】
本発明は、前述した問題点に鑑みてなされたもので、その目的とすることは、複数の電子書籍の内容を閲覧しながら、その電子書籍に関するコメントを投稿し、読書会の参加者全員に提示することが可能な読書情報提示サーバ等などを提供することである。
【課題を解決するための手段】
【０００８】
前述した目的を達成するための第１の発明は、第１の情報端末および第２の情報端末と、ネットワークを介して接続される読書情報提示サーバであって、電子書籍に関する情報および読書会に関する情報を取得する取得手段と、前記第１の情報端末からの前記電子書籍の送信要求に基づいて、前記取得手段で取得された前記電子書籍に関する情報を、前記第１の情報端末に送信する第１の送信手段と、前記取得手段で取得された前記読書会に関する情報に基づいて、前記第２の情報端末に、前記取得手段で取得された前記電子書籍に関する情報の一部を送信する第２の送信手段と、前記第１の情報端末から前記電子書籍に関する投稿情報を受信した場合、前記第２の情報端末に、前記投稿情報を送信する第３の送信手段と、を備えることを特徴とする読書情報提示サーバである。
第１の発明によって、あるユーザから投稿された電子書籍のコメントを、読書会に参加している他のユーザに提示することが可能となる。
【０００９】
前記投稿情報を記憶する記憶手段と、前記記憶手段に記憶された前記投稿情報に基づいて、プレイバック用の画像を作成する画像作成手段と、前記画像作成手段により作成されたプレイバック用の前記画像を配信する画像配信手段と、をさらに備える。
これによって、読書会の内容を後で容易に確認することが可能となる。
【００１０】
前記読書会に関する情報は、少なくとも、読書会参加者情報、開催日時、終了日時、前記画像作成手段により作成された前記画像のうちのいずれか１つを含む。
これによって、読書会の内容を容易に把握することができる。
【００１１】
前記電子書籍に関する情報は、少なくとも、前記電子書籍の本文および前記電子書籍の表紙画像を含む。
これによって、購入済みの電子書籍の内容を読書会に提示することができる。
【００１２】
第２の発明は、第１の情報端末および第２の情報端末とネットワークを介して接続されるコンピュータにより行われる読書情報提示方法であって、電子書籍に関する情報および読書会に関する情報を取得する取得ステップと、前記第１の情報端末からの前記電子書籍の送信要求に基づいて、前記取得ステップで取得された前記電子書籍に関する情報を、前記第１の情報端末に送信する第１の送信ステップと、前記取得ステップで取得された前記読書会に関する情報に基づいて、前記第２の情報端末に、前記取得ステップで取得された前記電子書籍に関する情報の一部を送信する第２の送信ステップと、前記第１の情報端末から前記電子書籍に関する投稿情報を受信した場合、前記第２の情報端末に、前記投稿情報を送信する第３の送信ステップと、を含むことを特徴とする読書情報提示方法である。
第２の発明によって、あるユーザから投稿された電子書籍のコメントを、読書会に参加している他のユーザに提示することが可能となる。
【００１３】
第３の発明は、第１の情報端末および第２の情報端末とネットワークを介して接続されるコンピュータを、電子書籍に関する情報および読書会に関する情報を取得する取得手段、前記第１の情報端末からの前記電子書籍の送信要求に基づいて、前記取得手段で取得された前記電子書籍に関する情報を、前記第１の情報端末に送信する第１の送信手段、前記取得手段で取得された前記読書会に関する情報に基づいて、前記第２の情報端末に、前記取得手段で取得された前記電子書籍に関する情報の一部を送信する第２の送信手段、前記第１の情報端末から前記電子書籍に関する投稿情報を受信した場合、前記第２の情報端末に、前記投稿情報を送信する第３の送信手段、として機能させるためのプログラムである。
第３の発明のプログラムを汎用のコンピュータにインストールすることによって、第１の発明の読書情報提示サーバを得ることができる。
【００１４】
第４の発明は、サーバと第１の情報端末と第２の情報端末とがネットワークを介して接続される読書情報提示システムであって、前記サーバは、電子書籍に関する情報および読書会に関する情報を取得する取得手段と、前記第１の情報端末からの前記電子書籍の送信要求に基づいて、前記取得手段で取得された前記電子書籍に関する情報を、前記第１の情報端末に送信する第１の送信手段と、前記取得手段で取得された前記読書会に関する情報に基づいて、前記第２の情報端末に、前記取得手段で取得された前記電子書籍に関する情報の一部を送信する第２の送信手段と、前記第１の情報端末から前記電子書籍に関する投稿情報を受信した場合、前記第２の情報端末に、前記投稿情報を送信する第３の送信手段と、を備え、前記第１の情報端末は、前記電子書籍の送信を前記サーバに要求し、その要求に基づいて送信されてくる前記電子書籍に関する情報を受信し、表示する第１の表示制御手段と、前記電子書籍に関する投稿情報が入力された場合、前記投稿情報を表示する第２の表示制御手段と、前記投稿情報を前記サーバに送信する第４の送信手段と、を備え、前記第２の情報端末は、前記サーバから送信されてくる前記電子書籍に関する情報の一部、および前記投稿情報の表示を制御する第３の表示制御手段と、を備えることを特徴とする読書情報提示システムである。
第４の発明によって、電子書籍の内容を閲覧しながら、その電子書籍に関するコメントを投稿し、読書会の参加者全員に提示することが可能となる。
【発明の効果】
【００１５】
本発明により、複数の電子書籍の内容を閲覧しながら、その電子書籍に関するコメントを投稿し、読書会の参加者全員に提示することが可能となる。
【図面の簡単な説明】
【００１６】
【図１】本発明の実施の形態に係る読書会システムの構成例を示す図である。
【図２】読書会サーバのハードウェアの構成例を示す図である。
【図３】読書会サーバの機能構成例を示すブロック図である。
【図４】書籍情報記憶部に記憶される情報の一例を示す図である。
【図５】読書会情報記憶部に記憶される情報の一例を示す図である。
【図６】読書会投稿情報記憶部に記憶される情報の一例を示す図である。
【図７】ユーザ情報記憶部に記憶される情報の一例を示す図である。
【図８】情報端末の機能構成例を示すブロック図である。
【図９】購入済書籍情報記憶部に記憶される情報の一例を示す図である。
【図１０】読書会情報記憶部に記憶される情報の一例を示す図である。
【図１１】読書会における自身が購入した電子書籍の提示処理を説明するフローチャートである。
【図１２】読書会画面の表示例を示す図である。
【図１３】選択書籍画面の表示例を示す図である。
【図１４】読書会における投稿処理を説明するフローチャートである。
【図１５】読書会画面の他の表示例を示す図である。
【図１６】コメントが投稿された場合の読書会画面の表示例を示す図である。
【図１７】ユーザＡが本を提示してコメントした場合の読書会画面の表示例を示す図である。
【図１８】ユーザＡに続いて、ユーザＢが本を提示してコメントした場合の読書会画面の表示例を示す図である。
【図１９】ユーザＢに続いて、ユーザＣが本を提示してコメントした場合の読書会画面の表示例を示す図である。
【図２０】場面シーク用画像作成処理を説明するためのフローチャートである。
【図２１】プレイバック画面の表示例を示す図である。
【発明を実施するための形態】
【００１７】
以下、図面に基づいて、本発明の実施形態を詳細に説明する。
【００１８】
［本発明の実施の形態］
（読書会システムの構成）
図１は、本発明の実施の形態に係る読書会システム１の構成例を示す図である。
【００１９】
図１に示す読書会システム１は、読書会サーバ２と情報端末３−１〜３−３とがネットワーク４を介して相互に接続されることで構成される。なお、読書会サーバ２、および情報端末３−１〜３−３の数は、任意であり、それぞれ複数設けることも勿論可能である。
【００２０】
読書会サーバ２は、CPU（Central  Processing  Unit）、ROM（Read  Only  Memory）、RAM（Random  Access  Memory）、HDD（Hard  Disk  Drive）等からなるコンピュータシステムである。
【００２１】
読書会サーバ２は、電子書籍に関する情報、ネットワーク４上で開催される読書会に関する情報、読書会において投稿される投稿情報、および読書会に参加するユーザに関する情報等を記憶する。
【００２２】
本実施の形態において、読書会とは、ネットワーク４上のBBS（Bulletin Board System）やSNS（Social Networking Service）等を利用して、各自が好きな電子書籍やお薦めの電子書籍を提示し、コメントを投稿したりするポータルサイトのことである。また、読書会には、複数のトピック（話題）があり、ユーザは、トピックの一覧から参加したいトピックを選択して読書会に参加するか、あるいは、参加したいトピックが一覧にない場合には、新規にトピックを作成し、読書会を開催することができる。
【００２３】
読書会サーバ２は、情報端末３−１〜３−３のいずれかで閲覧指示された電子書籍または投稿されたコメントを、ネットワーク４を介して、読書会に参加している他のユーザの情報端末３−１〜３−３のそれぞれに配信する。また、読書会サーバ２は、読書会終了後、プレイバック用の読書会の場面シーク用画像（スクリーンショット画像）を作成し、情報端末３−１〜３−３のいずれかでプレイバックが指示された場合、ネットワーク４を介して、作成した場面シーク用画像を、指示のあった情報端末３−１〜３−３に配信する。
【００２４】
情報端末３−１〜３−３は、CPU、ROM、RAM、入力部、および表示画面などを実装したコンピュータシステムである。情報端末３−１〜３−３は、電子書籍を閲覧するためのビューアアプリケーションが予め実装されており、利用者によってダウンロードされた電子書籍を表示する。
【００２５】
情報端末３−１〜３−３は、ユーザによって所定の電子書籍の閲覧が指示されると、その電子書籍の本文要求を、ネットワーク４を介して読書会サーバ２に送信し、読書会サーバ２から送信されてくる電子書籍の本文を受信し、表示する。また情報端末３−１〜３−３は、表示されている電子書籍の内容についてユーザがコメントを投稿すると、そのコメントを、ネットワーク４を介して読書会サーバ２に送信する。さらに、情報端末３−１〜３−３は、ネットワーク４を介して読書会サーバ２から送信されてきた、他の情報端末で提示された電子書籍の一文および投稿されたコメントを受信し、表示する。
【００２６】
ネットワーク４は、LAN（Local Area Network）やインターネット等のネットワークであり、有線、無線は特に問わない。
【００２７】
（読書会サーバの構成）
図２は、読書会サーバ２のハードウェアの構成例を示す図である。なお、図２のハードウェア構成は一例であり、用途、目的に応じて様々な構成を採ることが可能である。また、情報端末３−１〜３−３も基本的に読書会サーバ２と同様の構成を有する。
【００２８】
読書会サーバ２を実現するコンピュータは、制御部１１、記憶部１２、メディア入出力部１３、通信制御部１４、入力部１５、表示部１６、周辺機器Ｉ／Ｆ（インターフェース）部１７等が、バス１８を介して接続される。
【００２９】
制御部１１は、CPU、ROM、RAM等で構成される。CPUは、記憶部１２、ROM、記録媒体等に格納されるプログラムをRAM上のワークメモリ領域に呼び出して実行し、バス１８を介して接続された各部を駆動制御し、読書会サーバ２が行う後述する処理を実現する。ROMは、不揮発性メモリであり、コンピュータのブートプログラムやBIOS（Basic Input/Output System）等のプログラム、データ等を恒久的に保持している。RAMは、揮発性メモリであり、記憶部１２、ROM、記録媒体等からロードしたプログラム、データ等を一時的に保持するとともに、制御部１１が各種処理を行う為に使用するワークエリアを備える。
【００３０】
記憶部１２は、HDDであり、制御部１１が実行するプログラム、プログラム実行に必要なデータ、ＯＳ（オペレーティングシステム）等を格納する。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてRAMに移され、CPUに読み出されて各種の手段として実行される。
【００３１】
メディア入出力部１３（ドライブ装置）は、データの入出力を行い、例えば、ＣＤドライブ（−ＲＯＭ、−Ｒ、−ＲＷ等）、DVDドライブ（−ROM、−Ｒ、−ＲＷ等）等のメディア入出力装置を有する。通信制御部１４は、通信制御装置、通信ポート等を有し、コンピュータとネットワーク４間の通信を媒介する通信インターフェースであり、ネットワーク４を介して、他のコンピュータ間との通信制御を行う。
【００３２】
入力部１５は、データの入力を行い、例えば、キーボード、マウス等のポインティングデバイス、テンキー等の入力装置を有する。ユーザは、入力部１５を介して、コンピュータに対して、操作指示、動作指示、データ入力等を行うことができる。
【００３３】
表示部１６は、液晶パネル等のディスプレイ装置、ディスプレイ装置と連携してコンピュータのビデオ機能を実現するための論理回路等（ビデオアダプタ等）を有する。
【００３４】
周辺機器Ｉ／Ｆ（インターフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、USB（Universal Serial Bus）やIEEE（The Institute of Electrical and
Electronics Engineers）１３９４やＲＳ−２３２Ｃ等で構成されており、通常複数の周辺機器Ｉ／Ｆを有する。周辺機器との接続形態は有線、無線を問わない。バス１８は、各装置間の制御信号、データ信号等の授受を媒介する経路である。
【００３５】
図３は、読書会サーバ２の機能構成例を示すブロック図である。図３に示す機能部のうちの少なくとも一部は、図２の制御部１１により所定のプログラムが実行されることによって実現される。
【００３６】
ログイン部２１は、読書会のポータルサイトに参加するユーザのログイン処理を行う。ログイン処理には、例えば、ネットワーク４を介して情報端末３−１〜３−３から送信されてくる、ログインＩＤ（ユーザＩＤ）およびパスワードに基づいて行われる。
【００３７】
購入済書籍配信部２２は、情報端末３−１〜３−３のいずれかで購入済み電子書籍の提示が指示された場合、指示された購入済み電子書籍の本文を書籍情報記憶部２８から読み出し、ネットワーク４を介して、指示された情報端末３−１〜３−３に配信する。
【００３８】
対象書籍配信部２３は、情報端末３−１〜３−３のいずれかで電子書籍の提示が指示された場合、提示された電子書籍の一文を書籍情報記憶部２８から読み出し、ネットワーク４を介して、読書会に参加している他のユーザの情報端末３−１〜３−３に配信する。
【００３９】
コメント配信部２４は、情報端末３−１〜３−３のいずれかで投稿されたコメントを、ネットワーク４を介して、読書会に参加している他の情報端末３−１〜３−３に配信する。
【００４０】
投稿情報記録部２５は、読書会に投稿された情報を、読書情報記憶部２５に記録（記憶）させる。
【００４１】
場面シーク用画像作成部２６は、プレイバックする際のシーク用画像として、所定のタイミングでの読書会サイト内の様子を仮想的に構築し、構築した読書会サイトのスクリーンショット画像を撮影（作成）し、読書会情報記憶部２９に記憶させる。
【００４２】
プレイバック配信機能部２７は、情報端末３−１〜３−３のいずれかで読書会のプレイバックが指示された場合、場面シーク用画像作成部２６で作成され、読書会情報記憶部２９に記憶されたスクリーンショット画像群を時系列に並べたものを、ネットワーク４を介して、指示された情報端末３−１〜３−３に配信する。
【００４３】
書籍情報記憶部２８は、電子書籍に関する情報を記憶する。読書会情報記憶部２９は、読書会に関する情報を記憶する。投稿情報記憶部３０は、読書会に投稿された情報を記憶する。ユーザ情報記憶部３１は、読書会に参加するユーザに関する情報を記憶する。
【００４４】
図４は、書籍情報記憶部２８に記憶される情報の一例を示す図である。
【００４５】
図４に示すように、書籍情報記憶部２８は、少なくとも、書籍ＩＤ２８Ａ、書籍名２８Ｂ、書籍本文２８Ｃ、および表紙画像２８Ｄを、電子書籍毎に記憶する。
【００４６】
書籍ＩＤ２８Ａは、電子書籍を一意に識別するための情報である。書籍名２８Ｂは、電子書籍の名称を示す。書籍本文２８Ｃは、電子書籍の本文に関する電子データ（コンピュータが利用可能なデータ）である。表紙画像２８Ｄは、電子書籍の表紙を示す画像である。
【００４７】
図５は、読書会情報記憶部２９に記憶される情報の一例を示す図である。
【００４８】
図５に示すように、読書会情報記憶部２９は、少なくとも、読書会ＩＤ２９Ａ、参加ユーザＩＤ群２９Ｂ、スクリーンショット画像群２９Ｃ、開催日時２９Ｄ、および終了日時２９Ｅを、読書会毎に記憶する。
【００４９】
読書会ＩＤ２９Ａは、読書会を一意に識別するための情報である。参加ユーザＩＤ群２９Ｂは、読書会に参加しているユーザＩＤの集合を示す。スクリーンショット画像群２９Ｃは、読書会のプレイバックのための場面シーク用のスクリーンショット画像の集合を示す。開催日時２９Ｄは、読書会が開催された日時を示す。終了日時２９Ｅは、読書会が終了した日時を示す。
【００５０】
図６は、読書会投稿情報記憶部３０に記憶される情報の一例を示す図である。
【００５１】
図６に示すように、読書会投稿情報記憶部３０は、少なくとも、読書会投稿ＩＤ３０Ａ、読書会ＩＤ３０Ｂ、投稿ユーザＩＤ３０Ｃ、コメント３０Ｄ、提示書籍ＩＤ３０Ｅ、指定ページ３０Ｆ、および投稿日時３０Ｇを、投稿情報毎に記憶する。
【００５２】
読書会投稿ＩＤ３０Ａは、投稿コメントを一意に識別するための情報である。読書会ＩＤ３０Ｂは、コメントが投稿された読書会を一意に識別するための情報であり、読書会情報記憶部２９の読書会ＩＤ２９Ａに紐付けられている。投稿ユーザＩＤ３０Ｃは、コメントを投稿したユーザを一意に識別するための情報である。コメント３０Ｄは、投稿されたコメントに関する電子データである。提示書籍ＩＤ３０Ｅは、コメントが投稿された際に提示（選択）された電子書籍を一意に識別するための情報であり、書籍情報記憶部２８の書籍ＩＤ２８Ａに紐付けられている。指定ページ３０Ｆは、コメントが投稿された際に指定されたページを示す。投稿日時３０Ｇは、コメントが投稿された日時を示す。
【００５３】
図７は、ユーザ情報記憶部３１に記憶される情報の一例を示す図である。
【００５４】
図７に示すように、ユーザ情報記憶部３１は、少なくとも、ユーザＩＤ３１Ａ、ユーザ名３１Ｂ、プロフィール画像３１Ｃ、および書籍ＩＤ３１Ｄを、ユーザ毎に記憶する。
【００５５】
ユーザＩＤ３１Ａは、読書会に参加するユーザを一意に識別するための情報であり、読書会情報記憶部２９の参加ユーザＩＤ群２９Ｂ、および読書会投稿情報記憶部３０の投稿ユーザＩＤ３０Ｃに紐付けられている。ユーザ名３１Ｂは、読書会に参加するユーザの名前を示す。プロフィール画像３１Ｃは、読書会に参加するユーザのプロフィールとなる画像である。書籍ＩＤ３１Ｄは、ユーザが購入した電子書籍を一意に識別するための情報であり、書籍情報記憶部２８の書籍ＩＤ２８Ａに紐付けられている。
【００５６】
図８は、情報端末３の機能構成例を示すブロック図である。
【００５７】
入力受付部４１は、ユーザが入力部１１を用いることで行われる、提示する電子書籍の選択、提示中の電子書籍に関するコメント入力を受付ける。
【００５８】
表示制御部４２は、ユーザにより閲覧指示された電子書籍やコメント、および、読書会サーバ２から提示された電子書籍や他のユーザのコメントの表示を制御する。
【００５９】
購入済書籍情報記憶部４３は、購入した電子書籍に関する情報を記憶する。読書会情報記憶部４４は、参加した読書会に関する情報を記憶する。
【００６０】
図９は、購入済書籍情報記憶部４３に記憶される情報の一例を示す図である。
【００６１】
図９に示すように、購入済書籍情報記憶部４３は、少なくとも、書籍ＩＤ４３Ａ、書籍本文４３Ｂ、および表紙画像４３Ｃを、電子書籍毎に記憶する。
【００６２】
書籍ＩＤ４３Ａは、電子書籍を一意に識別するための情報である。書籍本文４３Ｂは、電子書籍の本文に関する電子データ（コンピュータが利用可能なデータ）である。表紙画像４３Ｃは、電子書籍の表紙を示す画像である。
【００６３】
図１０は、読書会情報記憶部４４に記憶される情報の一例を示す図である。
【００６４】
図１０に示すように、読書会情報記憶部４４は、少なくとも、読書会ＩＤ４４Ａ、現在の表示書籍ＩＤ４４Ｂ、および現在の表示書籍本文４４Ｃを、読書会毎に記憶する。
【００６５】
読書会ＩＤ４４Ａは、参加した読書会を一意に識別するための情報を示す。現在の表示書籍ＩＤ４４Ｂは、現在表示（提示）されている電子書籍を一意に識別するための情報を示す。現在の表示書籍本文４４Ｃは、現在表示（提示）されている電子書籍の本文に関する電子データである。
【００６６】
（読書会における自身が購入した電子書籍の提示処理）
図１１は、情報端末３−１が実行する、読書会開始から自身が購入した電子書籍を提示するまでの処理を説明するフローチャートである。なお、読書会には、情報端末３−１のユーザＡ、情報端末３−２のユーザＢ、情報端末３−３のユーザ」Ｃが参加しているものとする。
【００６７】
ステップＳ１において、情報端末３−１の入力受付部４１は、ユーザＡによる読書会開始の指示を受け付ける。例えば、ユーザＡは、読書会ポータルサイトにログインし、既に開催されているトピック（話題）の一覧から参加したいトピックを選択して読書会に参加する指示を行うか、あるいは、参加したいトピックが一覧にない場合には、新規にトピックを作成し、読書会を開催する指示を行う。入力受付部４１は、ユーザＡからの読書会開始の指示を受け付けると、ユーザＡのユーザＩＤを、ネットワーク４を介して読書会サーバ２に送信する。
【００６８】
ステップＳ２において、読書会サーバ２の購入済書籍配信部２２は、ネットワーク４を介して情報端末３−１から送信されてきたユーザＩＤを受信し、受信したユーザＩＤに対応する書籍ＩＤ３１Ｄをユーザ情報記憶部３１から読み出し、さらに、読み出した書籍ＩＤ３１Ｄ（書籍ＩＤ２８Ａ）に対応する表紙画像２８Ｄを書籍情報記憶部２８から読み出し、ネットワーク４を介して情報端末３−１に送信する。
【００６９】
ステップＳ３において、情報端末３−１の購入済書籍情報記憶部４３は、ネットワーク４を介して読書会サーバ２から送信されてきた、自身が購入済みの電子書籍の書籍ＩＤおよびその書籍の表紙画像を受信し、記憶する。
【００７０】
ステップＳ４において、情報端末３−１の表示制御部４２は、読書会画面を表示部１６に表示させ、その読書会画面上に、ステップＳ３の処理で受信した電子書籍の表紙画像に基づく購入済書籍一覧を表示させる。
【００７１】
図１２は、読書会画面の表示例を示す図である。
【００７２】
図１２に示す読書会画面５１には、読書会に参加している全ユーザに対し、共通の電子書籍を表示させるための共通本文ビュー５２、自身が購入済みの電子書籍の一覧を表示させるための購入済本閲覧ビュー５３、読書会に参加しているユーザが投稿したコメントを表示させるための参加者コメントビュー５４、共通本文ビュー５２に表示されている電子書籍に関するコメントを入力するためのコメント入力欄５５、およびコメント入力欄５５に入力されたコメントを投稿（読書会サーバ２に送信）する場合に選択される送信ボタン５６が表示されている。
【００７３】
図１２の例の場合、購入済本閲覧ビュー５３には、電子書籍Ａ１〜Ａ４の表紙画像Ａ１〜Ａ４が購入済みの電子書籍として表示されている。ユーザＡは、購入済本閲覧ビュー５３の左右に配置されたボタン５７Ｒ、５７Ｌを選択することで、他の購入済みの電子書籍の表紙画像を表示させることができる。
【００７４】
図１１の説明に戻る。ステップＳ５において、情報端末３−１の入力受付部４１は、ユーザＡによる電子書籍の選択を検知する。例えば、ユーザＡは、読書会画面５１の購入済本閲覧ビュー５３に表示されている表紙画像Ａ１〜Ａ４の中から、共通本文ビュー５２に表示させたい電子書籍の表紙画像を選択する。
【００７５】
ステップＳ６において、情報端末３−１の制御部１１は、ステップＳ５の処理で検知された電子書籍の書籍ＩＤを購入済書籍情報記憶部４３から読み出し、読み出した書籍ＩＤ４３Ａを、ネットワーク４を介して読書会サーバ２に送信し、選択した電子書籍の本文を要求する。
【００７６】
ステップＳ７において、読書会サーバ２の購入済書籍配信部２２は、ネットワーク４を介して情報端末３−１から送信されてきた書籍ＩＤを受信し、受信した書籍ＩＤ４３Ａ（書籍ＩＤ２８Ａ）に対応する書籍本文２８Ｃを書籍情報記憶部２８から読み出し、ネットワーク４を介して情報端末３−１に送信する。
【００７７】
ステップＳ８において、情報端末３−１は、ネットワーク４を介して読書会サーバ２から送信されてきた書籍本文を受信し、購入済書籍情報記憶部４３に記憶させる。ステップＳ９において、情報端末３−１は、読書会サーバ２から受信した書籍本文を表示部１６に表示させる。
【００７８】
図１３は、選択書籍画面の表示例を示す図である。
【００７９】
図１３に示す選択書籍画面６１には、選択された電子書籍の表紙画像を表示させるための選択書籍ビュー６２、および、選択された電子書籍の本文ページの一覧を表示させるためのページ一覧ビュー６３が表示されている。
【００８０】
図１３の例の場合、選択書籍ビュー６２には、電子書籍Ａ１の表紙画像Ａ１が選択された電子書籍として表示されている。ページ一覧ビュー６３には、電子書籍Ａ１の表紙画像Ａ１、および電子書籍Ａ１のページ１〜４が表示されている。ユーザＡは、ページ一覧ビュー６３の中から、所定ページを選択し、選択ボタン６４を押下することで、図１２の読書会画面５１に戻り、選択したページを共通本文ビュー５２に表示させることができる。
【００８１】
以上の処理によって、ユーザＡは、参加している読書会で、話題にしたい（またはお薦めしたい）、自身が購入した電子書籍の所定ページを、共通本文ビュー５２に提示させることができる。そして、次に説明する処理によって、自身が購入した電子書籍の所定ページに関するコメントを投稿し、読書会に参加している他のユーザＢ、ユーザＣの情報端末３−２、３−３にそれぞれ提示することができる。
【００８２】
（読書会における投稿処理）
図１４は、情報端末３−１が実行する、読書会において投稿したコメントを他の参加者に提示するまでの処理を説明するフローチャートである。なお、読書会には、情報端末３−１のユーザＡ、情報端末３−２のユーザＢ、情報端末３−３のユーザＣが参加しているものとする。
【００８３】
ステップＳ２１において、情報端末３−１の入力受付部４１は、ユーザＡによるページ選択を検知する。例えば、ユーザＡは、図１３に示した選択書籍画面６１のページ一覧ビュー６３の中から、投稿したい所定ページ（例えば、２０ページ）を選択し、選択ボタン６４を押下する。
【００８４】
ステップＳ２２において、情報端末３−１の表示制御部４２は、ステップＳ２１の処理で選択された電子書籍の所定ページを参加者コメントビュー５４に表示させる。これにより、例えば、図１５に示すように、参加者コメントビュー５４の下方のエリア５４Ａに、選択されたページのサムネイル画像Ｐ１、電子書籍名（図１５の例では、本Ａ）、および選択されたページ（図１５の例では、２０ページ）が表示される。
【００８５】
ステップＳ２３において、情報端末３−１の入力受付部４１は、ユーザＡによるコメント入力を検知する。ステップＳ２４において、情報端末３−１の表示制御部４２は、ステップＳ２３の処理で入力されたコメントを表示させる。
【００８６】
例えば、ユーザＡが、図１５に示す読書会画面５１の参加者コメントビュー５４のコメント入力欄５５にコメントを入力し、送信ボタン５６を押下することにより、入力受付部４１は、ユーザＡからのコメント入力を検知する。表示制御部４２は、入力されたコメントを、参加者コメントビュー５４の上方のエリア５４Ｂに表示させる。
【００８７】
これにより、例えば、図１６に示すように、共通本文ビュー５２には、選択されたページの画像が表示され、参加者コメントビュー５４の上方のエリア５４Ｂには、投稿ユーザのプロフィール画像Ｐ１１、投稿されたコメント、および投稿の際に提示した電子書籍の表紙画像Ｐ１２が表示される。表紙画像Ｐ１２には、電子書籍の購入サイトへアクセスするためのURL（Uniform Resource Locator）が紐付けられており、表紙画像Ｐ１２が選択されると、その購入サイトにアクセスすることができる。また、共通本文ビュー５２の左右に配置されたボタン５８Ｒ、５８Ｌを選択することで、他のページを表示させることができる。
【００８８】
ステップＳ２５において、情報端末３−１の制御部１１は、購入済書籍記憶部４３から、図１１のステップＳ５の処理で選択された電子書籍の書籍ＩＤを読み出し、ステップＳ２１の処理で選択されたページ番号、およびステップＳ２３の処理で入力されたコメントとともに、ネットワーク４を介して読書会サーバ２に送信する。
【００８９】
ステップＳ２６において、読書会サーバ２の対象書籍配信部２３は、情報端末３−１から、書籍ＩＤ、ページ番号、およびコメントを受信した場合、書籍ＩＤに紐付く書籍本文２８Ｃを書籍情報記憶部２８から読み出し、読書会情報記憶部２９から現在の読書会の参加ユーザＩＤ群２９Ｂを取得する。また、投稿情報記録部２５は、受信した書籍ＩＤ、ページ番号、およびコメント等を読書会ＩＤ、および投稿ユーザＩＤに紐付けて読書会投稿情報記憶部３０に記憶させる。
【００９０】
ステップＳ２７において、読書会サーバ２の対象書籍配信部２３は、ステップＳ２６の処理で取得した参加ユーザＩＤ群２９Ｂに対応する他の情報端末３−２、３−３に対し、書籍情報記憶部２８から読み出した書籍本文２８Ｃ中における、受信した選択ページ前後の所定数ページの本文を送信する。また、読書会サーバ２のコメント配信部２４は、他の情報端末３−２、３−３に対し、受信したコメントを送信する。
【００９１】
ステップＳ２８において、他の情報端末３−２、３−３の制御部１１は、読書会サーバ２から送信されてきた、情報端末３−１で選択されたページ前後の電子書籍の本文およびコメントを受信する。そして、表示制御部４２は、図１６に示したような読書会画面５１を表示させる。ユーザＢ、ユーザＣは、共通本文ビュー５２に表示されたページの左右に配置されたボタン５８Ｒ、５８Ｌを押下することで、他のページを表示させることができるが、ユーザＡが購入した電子書籍であるため、前後の所定数ページしか表示することはできない。
【００９２】
以上の処理によって、ユーザＡが、電子書籍の所定ページに関するコメントを読書会に投稿すると、その読書会に参加している他のユーザＢ、ユーザＣの情報端末３−２、３−３にも、それぞれ、電子書籍の所定ページを含む複数ページおよびコメントを提示することができる。
【００９３】
（具体例）
次に、図１７〜図１９を参照し、情報端末３−１のユーザＡ、情報端末３−２のユーザＢ、および情報端末３−３のユーザＣが読書会に参加し、順に本を提示してコメントする場合の具体例について説明する。なお、ユーザＡは、電子書籍Ａ１と電子書籍Ａ２を購入しており、ユーザＢは、電子書籍Ｂ１と電子書籍Ｂ２を購入しており、ユーザＣは、電子書籍Ｃ１と電子書籍Ｃ２を購入しているものとする。
【００９４】
図１７（ａ）〜図１７（ｃ）は、ユーザＡ〜ユーザＣが、それぞれ情報端末３−１〜３−３を用いて読書会に参加した場合の読書会画面５１−１〜５１−３の表示例を示す図である。
【００９５】
図１７（ａ）に示すように、読書会画面５１−１の購入済本閲覧ビュー５３−１には、ユーザＡが購入した電子書籍Ａ１の表紙画像Ａ１、電子書籍Ａ２の表紙画像Ａ２が表示されている。図１７（ｂ）に示すように、読書会画面５１−２の購入済本閲覧ビュー５３−２には、ユーザＢが購入した電子書籍Ｂ１の表紙画像Ｂ１、電子書籍Ｂ２の表紙画像Ｂ２が表示されている。図１７（ｃ）に示すように、読書会画面５１−３の購入済本閲覧ビュー５３−３には、ユーザＣが購入した電子書籍Ｃ１の表紙画像Ｃ１、電子書籍Ｃ２の表紙画像Ｃ２が表示されている。
【００９６】
例えば、ユーザＡが、電子書籍Ａ１をお薦めの本として読書会に提示したい場合、図１７（ａ）に示す購入済本閲覧ビュー５３−１の表紙画像Ａ１を選択し（図１１のステップＳ５）、選択した電子書籍Ａ１の所定ページを選択し（図１４のステップＳ２１）、参加者コメントビュー５４−１のコメント入力欄５５−１にコメントを入力し、送信ボタン５６−１を押下する（図１４のステップＳ２３）。これによって、図１７（ａ）〜図１７（ｃ）の共通本文ビュー５２−１〜５２−３には、選択された電子書籍Ａ１の所定ページがそれぞれ表示され、参加者コメントビュー５４−１〜５４−３の上方のエリア５４−１Ｂ〜５４−３Ｂには、ユーザＡのプロフィール画像Ｐ２１、投稿されたコメント、および電子書籍Ａ１の表紙画像Ｐ２２がそれぞれ表示される（図１１のステップＳ２４、ステップＳ２８）。
【００９７】
次に、例えば、ユーザＢが、電子書籍Ｂ１をお薦めの本として読書会に提示したい場合、図１７（ｂ）に示す購入済本閲覧ビュー５３−２の表紙画像Ｂ１を選択し（図１１のステップＳ５）、選択した電子書籍Ｂ１の所定ページを選択し（図１４のステップＳ２１）、参加者コメントビュー５４−２のコメント入力欄５５−２にコメントを入力し、送信ボタン５６−２を押下する（図１４のステップＳ２３）。これによって、図１８（ａ）〜図１８（ｃ）に示すように、共通本文ビュー５２−１〜５２−３には、選択された電子書籍Ｂ１の所定ページがそれぞれ表示され、参加者コメントビュー５４−１〜５４−３の上方のエリア５４−１Ｂ〜５４−３Ｂには、ユーザＢのプロフィール画像Ｐ３１、投稿されたコメント、および電子書籍Ｂ１の表紙画像Ｐ３２がそれぞれ表示される（図１１のステップＳ２４、ステップＳ２８）。
【００９８】
さらに、例えば、ユーザＣが、電子書籍Ｃ１をお薦めの本として読書会に提示したい場合、図１８（ｃ）に示す購入済本閲覧ビュー５３−３の表紙画像Ｃ１を選択し（図１１のステップＳ５）、選択した電子書籍Ｃ１の所定ページを選択し（図１４のステップＳ２３）、参加者コメントビュー５４−３のコメント入力欄５５−３にコメントを入力し、送信ボタン５６−３を押下する（図１４のステップＳ２３）。これによって、図１９（ａ）〜図１９（ｃ）に示すように、共通本文ビュー５２−１〜５２−３には、選択された電子書籍Ｃ１の所定ページがそれぞれ表示され、参加者コメントビュー５４−１〜５４−３の上方のエリア５４−１Ｂ〜５４−３Ｂには、ユーザＣのプロフィール画像Ｐ４１、投稿されたコメント、および書籍Ｃ１の表紙画像Ｐ４２がそれぞれ表示される（図１１のステップＳ２４、ステップＳ２８）。
【００９９】
以上のように、読書会に参加しているユーザに対し、自身がお薦めの本として提示した所定ページおよびコメント等を表示させることができる。
【０１００】
（場面シーク用画像作成処理）
図２０は、読書会サーバ２が実行する、読書会終了後に読書会の内容をプレイバックさせるための場面シーク用画像を作成する処理を説明するためのフローチャートである。
【０１０１】
ステップＳ３１において、読書会サーバ２の場面シーク用画像作成部２６は、読書会投稿情報記憶部３０から読書会投稿情報を取得する。ステップＳ３２において、場面シーク用画像作成部２６は、ステップＳ３１の処理で取得した読書会投稿情報から、指定書籍の変更タイミングを取得する。例えば、読書会投稿情報に含まれる提示書籍ＩＤ３０Ｅおよび投稿日時３０Ｇから、指定書籍が変更されたタイミングが取得される。
【０１０２】
ステップＳ３３において、読書会サーバ２の場面シーク用画像作成部２６は、ステップＳ３２の処理で取得した指定書籍の変更タイミング時における読書会サイト内の様子を仮想的に構築する。
【０１０３】
ステップＳ３４において、読書会サーバ２の場面シーク用画像作成部２６は、ステップＳ３３の処理で構築された読書会サイト内の様子をスクリーンショット撮影し、撮影したスクリーンショット画像を読書会情報記憶部２９に記憶させる。
【０１０４】
ステップＳ３５において、読書会サーバ２の場面シーク用画像作成部２６は、指定書籍が変更されない場合であっても、コメントが１件以上増えていて所定時間経過した場合に、所定時間毎に、読書会サイト内の様子を仮想的に構築し、それをスクリーンショット撮影し、撮影したスクリーンショット画像を読書会情報記憶部２９に記憶させる。
【０１０５】
以上の処理によって、読書会情報記憶部２９には、読書会の場面シーク用のスクリーンショット画像群２９Ｃが記憶される。これにより、読書会終了後、ユーザが、読書会の内容をプレイバックさせる指示を行うと、読書会サーバ２のプレイバック配信部２７は、読書会情報記憶部２９からスクリーンショット画像群２９Ｃを読み出し、指示のあった情報端末３−１〜３−３に配信する。これにより、情報端末３−１〜３−３は、読書会サーバ２から受信した場面シーク用のスクリーンショット画像を時系列に並べたプレイバック画面を表示部１６に表示させることができる。
【０１０６】
図２１は、プレイバック画面の表示例を示す図である。
【０１０７】
図２１に示すプレイバック画面７１には、プレイバックビュー７２および場面シークビュー７３が表示されている。プレイバックビュー７２は、場面シークビュー７３の左右に配置されたボタン７４Ｒ、７４Ｌの押下によってシーク画像が指定されるか、あるいはシークバー７５によって時刻が指定されると、指定されたシーク位置に対応する状況（場面）が読書会サーバ２側で仮想的に構築され、読書会サーバ２から送信されてきた仮想的状況の情報を表示する。場面シークビュー７３は、読書会サイト内の様子が仮想的に構築されたスクリーンショット画像群を表示する。プレイバック閲覧者は、場面シークビュー７３の左右に配置されたボタン７４Ｒ、７４Ｌを押下することによって、見たい読書会の様子を場面（スクリーンショット画像）から探したり、あるいは、場面シークビュー７３のシークバー７５を移動させることによって、見たい読書会の様子を時刻から探したりすることができる。
【０１０８】
［本発明の実施の形態における効果］
１．以上のように、ユーザは、購入済みの複数の電子書籍の内容を読書会に提示することができる。
２．読書会サーバは、あるユーザから投稿された電子書籍のコメントを、読書会に参加している他のユーザに提示することが可能となる。
３．読書会の参加者は、提示された電子書籍の一文およびコメントから、その書籍について議論しやすくなるだけでなく、購入イメージもつかみやすい。
４．読書会の様子を仮想的に構築し、作成したスクリーンショット画像を時系列で記憶しておくことにより、読書会の内容を後で容易に確認することが可能となる。
【０１０９】
［変形例］
１．以上においては、読書会の参加者に対し、電子書籍の所定ページを提示するようにしたが、これに限らず、例えば、議論したい一文を選択し、選択した一文にマーカ等を付与して、読書会の参加者に提示するようにしてもよい。これにより、読書会の参加者は、マーカが付与された一文から、議論したい内容をより明確に把握することが可能となる。また、参加者は、マーカが付与された一文を検索する際の見出しとして用いることができる。
２．読書会サーバ２は、電子書籍を配信する際に、DRM（Digital  Rights  Management）を用いて複製を防止するようにしても良い。
３．本実施の形態においては、コメントの投稿にテキストデータを用いるようにしたが、これに限らず、音声データを用いることも可能である。
４．読書会終了後、プレイバックを配信することができるようにしたが、読書会に参加していないユーザに対しても配信することができるようにしてもよい。
【０１１０】
以上、添付図面を参照しながら、本発明に係る読書情報提示サーバ等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１１】
１………読書会システム
２………読書会サーバ
３−１〜３−３………情報端末
４………ネットワーク
１１………制御部
１２………記憶部
１６………表示部
２２………購入済書籍配信部
２３………対象書籍配信部
２４………コメント配信部
２８………書籍情報記憶部
２９………読書会情報記憶部
３０………読書会投稿情報記憶部
【図１】
2014197286.tif 000003
【図２】
2014197286.tif 000004
【図３】
2014197286.tif 000005
【図４】
2014197286.tif 000006
【図５】
2014197286.tif 000007
【図６】
2014197286.tif 000008
【図７】
2014197286.tif 000009
【図８】
2014197286.tif 000010
【図９】
2014197286.tif 000011
【図１０】
2014197286.tif 000012
【図１１】
2014197286.tif 000013
【図１２】
2014197286.tif 000014
【図１３】
2014197286.tif 000015
【図１４】
2014197286.tif 000016
【図１５】
2014197286.tif 000017
【図１６】
2014197286.tif 000018
【図１７】
2014197286.tif 000019
【図１８】
2014197286.tif 000020
【図１９】
2014197286.tif 000021
【図２０】
2014197286.tif 000022
【図２１】
2014197286.tif 000023